(57)【要約】【課題】リムレスメガネのレンズと止着部品の回動を簡単な部品で防止すること。【解決手段】  リムレスメガネのレンズ面と止着部品との間で両方に接する基台１１と、該基台から垂直に延びレンズ端部近辺の止着用の貫通孔に挿入される円筒部分１２と、前記基台から該円筒部分に平行に設けられレンズ端部周面に設けられた切欠き部に係合する突起部１３とを備え、前記貫通孔に挿入される円筒部にはネジ嵌挿用の穴１４と、非円形に形成されたネジ台座部に適合する非円形の穴１５が前記ネジ嵌挿用の穴に連設して設けられた止着用ブッシュ１０を提供する。【選択図】図１
2005266722.tif 000002
【特許請求の範囲】
【請求項１】
レンズ端部近辺に設けられた止着用の貫通孔と該レンズ端部周面に設けられた切欠き部とを有するリムレスメガネ用レンズと止着部品との間に設けられ、レンズと止着部品との間の回動を防止するための止着用のブッシュであって、レンズ面と止着部品との間で両方に接する基台と該基台から垂直に延びレンズ端部近辺の止着用の貫通孔に挿入される円筒部分と、前記基台から該円筒部分に平行に設けられレンズ端部周面に設けられた切欠き部に係合する突起部とを備え、前記貫通孔に挿入される円筒部にはネジ嵌挿用の穴と、非円形に形成されたネジ台座部に適合する非円形の穴が前記ネジ嵌挿用の穴に連設して設けられた事を特徴とする、止着用ブッシュ。
【請求項２】
前記止着部品が、ヨロイ又はブリッジであることを特徴とする請求項１記載の止着用ブッシュ。
【請求項３】
止着部品に固着された根元に非円形の台座部を有するネジを前記請求項１記載の止着用ブッシュの円筒部分に形成されたネジ嵌挿用の穴と連設された前記非円形の台座部に適合する非円形の穴に挿入し、更に、該円筒部分をレンズ端部近辺に設けられた貫通孔に挿入し、レンズ端部周面に設けられた切欠き部にブッシュ突起部を係合させ、レンズ反対面の貫通孔から突出したネジにナットを螺着して固定したことを特徴とする、リムレスメガネの止着構造。
【請求項４】
前記止着部品が、ヨロイ又はブリッジであることを特徴とする請求項３に記載のリムレスメガネの止着構造。
【発明の詳細な説明】
【技術分野】
【０００１】  本発明はリムレスメガネのレンズと止着部品との間の回動を防止する為の止着用ブッシュ及びそれを使用したリムレスメガネに関する。
【背景技術】
【０００２】  従来より、リムレスメガネのレンズと止着部品との間の回動を防止するためにレンズ周面にレンズ掴み部分を配した止着部品が提供されていた。【０００３】  又、特開２００３−２９２１２号に記載されているような連結具が提案されていた。
【特許文献１】特開２００３−２９２１２号
【発明の開示】
【発明が解決しようとする課題】
【０００４】  しかしながら、上記レンズ掴み部をレンズ周面に配したものは、デザイン的に見栄えが悪く、且つ少し大きな力が加わると止着部品がレンズに対し回動してしまった。【０００５】  又、上記特開２００３−２９２１２号に於いては、ヨロイ又はブリッジと連結具との間の回り止めは可能であるが、ヨロイ又はブリッジとレンズの間の完全な回り止めにはなっていない。大きな力が加わるとやはりヨロイ又はブリッジはレンズに対して回動してしまう。回動することにより視点が狂ってしまい視力が悪くなる等の重大なことが起きる可能性があった。
【課題を解決するための手段】
【０００６】    本発明に於いては、上記課題を解決するために、レンズ端部近辺に設けられた止着用の貫通孔と該レンズ端部周面に設けられた切欠き部とを有するリムレスメガネ用レンズと止着部品との間に設けられ、レンズと止着部品との間の回動を防止するための止着用のブッシュであって、レンズ面と止着部品との間で両方に接する基台と該基台から垂直に延びレンズ端部近辺の止着用の貫通孔に挿入される円筒部分と、前記基台から該円筒部分に平行に設けられレンズ端部周面に設けられた切欠き部に係合する突起部とを備え、前記貫通孔に挿入される円筒部にはネジ嵌挿用の穴と、非円形に形成されたネジ台座部に適合する非円形の穴が前記ネジ嵌挿用の穴に連設して設けられた事を特徴とする、止着用ブッシュと、該止着用ブッシュを装着したリムレスメガネを提供することにより、止着部品であるヨロイ又はブリッジとレンズの間の回動を防止出来るようにした。
【発明の効果】
【０００７】  本発明は簡単な構造でしっかりヨロイ又はブリッジとレンズとの間の回動を防止することが出来、視点が狂うことがなくなり、しかも止着部品の幅内に収めることが出来るのでデザイン的にもスッキリとし組立も簡単に行えるようになった。
【発明を実施するための最良の形態】
【０００８】  レンズ端部近辺に設けられた止着用の貫通孔と該レンズ端部周面に設けられた切欠き部を有するリムレスメガネ用レンズと止着部品との間に設けられ、レンズと止着部品との間の回動を防止するための止着用のブッシュであって、レンズ面と止着部品との間で両方に接する基台と該基台から垂直に延びレンズ端部近辺の止着用の貫通孔に挿入される円筒部分と、前記基台から該円筒部分に平行に設けられレンズ端部周面に設けられた切欠き部に係合する突起部とを備え、前記貫通孔に挿入される円筒部にはネジ嵌挿用の穴と、非円形に形成されたネジ台座部に適合する非円形の穴が前記ネジ嵌挿用の穴に連設して設けられた事を特徴とする、止着用ブッシュ及びそれを装着したリムレスメガネ。
【実施例１】
【０００９】  本発明を図に沿って詳述すると、図１は本発明の止着用ブッシュ１０であり、板状の基台１１には、該基台１１から垂直に延びレンズ端部の貫通孔に嵌挿される円筒部分１２を備え、そして該円筒部分１２と同じ面に平行に設けられた、レンズ周面の切欠き部に係合するための突起部１３を有している。前記レンズ貫通孔に嵌挿される円筒部１２にはネジ嵌挿用のバカ穴１４が設けられており、更に、該バカ穴から連設されてその根元の基台１１部分には非円形の穴１５が設けられている。この非円形の穴はネジの根元に設けられた台座部の形状に合わせて設けられている。【００１０】  図２は上記止着用ブッシュ１０をリムレスメガネレンズＬに止着部品２０と共に組み付ける前の分解斜視図であって、レンズＬの端部近辺に設けられた貫通孔３０に止着用ブッシュ１０の円筒部１２を嵌合し、且つ、レンズ周面の切欠き部３１に突起部１３を係合させる。そして、止着部品２０の先端部２３に設けられたネジ２１とその根元の非円形の台座２２を前記ブッシュ円筒部１２のバカ穴１４と非円形の穴１５に嵌合させる。この場合、先に止着用ブッシュ１０を止着部品２０に嵌め込んでからレンズＬの貫通孔３０と切欠き部３１に嵌め込んでも勿論構わない。そして図示はしてないがナット等で反対側から締め付ける事となる。又ここで、台座を含むネジ２１は止着部品２０にロウ付け等で固着されたものでも、又、止着部品と一体的に形成されたものでも良い。【００１１】  上記の様にする事で、止着部品２０と止着用ブッシュ１０との間の回動が、ネジ台座２２の非円形部分と止着用ブッシュの非円形の穴１５の嵌合によって防止され、更に、止着用ブッシュ１０とレンズＬの間の回動は、レンズ端部周面の切欠き部３１に止着用ブッシュの突起部１３が係止することにより防止され、ひいては止着部品２０とレンズＬの間の回動が防止され、大きな応力が加わったとしても安定していて、レンズに対して止着部品が回動することはない。したがって、視点の狂いも殆んど生じない。又上記止着用ブッシュ１０は樹脂により成型されたものが好ましい。【００１２】  図３は止着部品がヨロイ２０ａの場合の平面図であり、図４の場合は止着部品がブリッジ２０ｂの場合の平面図である。どちらも同じ止着用ブッシュ１０を使用できるので安価に仕上がり組立の手間も掛からない。【００１３】  又、ネジ２１の根元の台座２２の形状と同じとなる止着用ブッシュ１０の非円形の穴１５は図１に示した略俵型だけではなく、図５や図６に示した如く六角形状の多角形状１５ａや、楕円形１５ｂでもよく、又星型、歯車型でも構わない。勿論ネジ１０の根元の非円形の台座の輪切り形状も互いに嵌合し合う様に同じでなければならない。
【図面の簡単な説明】
【００１４】
【図１】本発明の止着用ブッシュの斜視図
【図２】本発明のリムレスメガネの分解斜視図
【図３】ヨロイ部平面図
【図４】ブリッジ部平面図
【図５】本発明止着用ブッシュの他の実施例の正面図
【図６】本発明止着用ブッシュの他の実施例の正面図
【符号の説明】
１０  本発明の止着用ブッシュ
１１  止着用ブッシュの基台
１２  止着用ブッシュの円筒部
１３  止着用ブッシュ突起部
１４  ネジ嵌挿用のバカ穴
１５  ネジ台座嵌挿用の非円形穴
２０  止着部品
２０ａ  ヨロイ（止着部品）
２０ｂ  ブリッジ（止着部品）
２１  ネジ
２２  ネジ台座部
３０  レンズ貫通孔
３１  レンズ切欠き部
Ｌ    レンズ
Ｎ    ナット
【図１】
2005266722.tif 000003
【図２】
2005266722.tif 000004
【図３】
2005266722.tif 000005
【図４】
2005266722.tif 000006
【図５】
2005266722.tif 000007
【図６】
2005266722.tif 000008